(57)【要約】【課題】消去された画像ファイルが不良画像ファイルだと判断された画像ファイルである場合には、内部メモリ上の画像ファイル管理情報を記録媒体内に書き戻す画像処理装置を提供する。【解決手段】消去操作が行われていないと判断された場合、復活操作が行われたか否かが判断される。再生モードに入ってからの最初のファイル消去処理であった場合、記録媒体内のファイル管理領域をＳＤＲＡＭ等の内部メモリ上に退避させる。再生モードに入ってからの最初のファイル消去でない場合、消去する画像ファイルが、不良画像ファイルであるか否かの判断が行われ、不良画像ファイルでないと判断された場合、記録媒体内の画像ファイルを消去する。復活操作が行われた場合には、内部メモリ上に退避したファイル管理情報を記録媒体に書き戻す。【選択図】図１
2008219425.tif 000002
【特許請求の範囲】
【請求項１】
取得した画像データを画像ファイルとして記録媒体に記録する記憶手段と、
前記記録媒体に記録されている前記画像ファイルの画像ファイル情報を取得する画像ファイル情報取得手段と、
前記記録媒体に記録されている前記画像ファイルが手ぶれ、ピンぼけ、露光不足の少なくとも１つは判断可能な不良画像判定手段と、
不良画像ファイルだと判断された画像ファイルの情報を内部メモリ上に記憶する不良画像ファイル情報記録手段と、
記録媒体内の前記画像ファイルを消去する消去手段と、
所定の条件下で消去操作が行われたとき、前記記録媒体内の画像ファイル管理情報を前記内部メモリ上に複製する画像ファイル管理情報複製手段と、
前記記録媒体から消去された前記画像ファイルの復活を行う消去画像ファイル復活手段とを有し、
消去画像ファイルの復活の要求がなされた際に、消去された画像ファイルが不良画像ファイルだと判断された画像ファイルである場合には、内部メモリ上に複製された画像ファイル管理情報の不良画像ファイルの画像ファイル情報を消去し、内部メモリ上の画像ファイル管理情報を前記記録媒体内に書き戻すことを特徴とする画像処理装置。
【請求項２】
再生モードが選択されたとき所望の画像ファイルを再生する再生手段をさらに備え、前記所定の条件は、再生モードに切り替え後、最初のファイル消去操作に応答することを特徴とする請求項１に記載の画像処理装置。
【請求項３】
前記消去手段は、前記ファイル消去操作が行われたとき、特定条件に該当する全てのファイルを記録媒体から消去することを特徴とする請求項１または２に記載の画像処理装置。
【請求項４】
前記特定条件は、最初にファイル消去操作が行われたファイルと同じ日付であることを特徴とする請求項３に記載の画像処理装置。
【請求項５】
前記特定条件は、最初にファイル消去操作が行われたファイルと同じ拡張子であることを特徴とする請求項３に記載の画像処理装置。
【請求項６】
取得した画像データを画像ファイルとして記録媒体に記録する記憶工程と、
前記記録媒体に記録されている前記画像ファイルの画像ファイル情報を取得する画像ファイル情報取得工程と、
前記記録媒体に記録されている前記画像ファイルが手ぶれ、ピンぼけ、露光不足の少なくとも１つは判断可能な不良画像判定工程と、
不良画像ファイルだと判断された画像ファイルの情報を内部メモリ上に記憶する不良画像ファイル情報記録工程と、
記録媒体内の前記画像ファイルを消去する消去工程と、
所定の条件下で消去操作が行われたとき、前記記録媒体内の画像ファイル管理情報を前記内部メモリ上に複製する画像ファイル管理情報複製工程と、
前記記録媒体から消去された前記画像ファイルの復活を行う消去画像ファイル復活工程とを有し、
消去画像ファイルの復活の要求がなされた際に、消去された画像ファイルが不良画像ファイルだと判断された画像ファイルである場合には、内部メモリ上に複製された画像ファイル管理情報の不良画像ファイルの画像ファイル情報を消去し、内部メモリ上の画像ファイル管理情報を前記記録媒体内に書き戻すことを特徴とする画像処理方法。
【請求項７】
再生モードが選択されたとき所望の画像ファイルを再生する再生工程をさらに備え、前記所定の条件は、再生モードに切り替え後、最初のファイル消去操作に応答することを特徴とする請求項６に記載の画像処理方法。
【請求項８】
前記消去工程は、前記ファイル消去操作が行われたとき、特定条件に該当する全てのファイルを記録媒体から消去することを特徴とする請求項６または７に記載の画像処理方法。
【請求項９】
前記特定条件は、最初にファイル消去操作が行われたファイルと同じ日付であることを特徴とする請求項８に記載の画像処理方法。
【請求項１０】
前記特定条件は、最初にファイル消去操作が行われたファイルと同じ拡張子であることを特徴とする請求項８に記載の画像処理方法。
【発明の詳細な説明】
【技術分野】
【０００１】
本発明は、画像消去操作を行う画像処理装置および画像処理方法に関する。
【背景技術】
【０００２】
近年、ＣＣＤセンサ等の撮像素子により被写体を撮像してデジタル画像データに変換し、このデジタル画像データをメモリカード等の記録媒体に記録するデジタルカメラが急速に普及している。かかるデジタルカメラでは、画像表示操作を行うことによって、記録媒体に記録されている画像をＬＣＤ（液晶ディスプレイ）等の表示装置に表示させることができ、その状態で画像消去操作を行うことによって、画像を記録媒体から消去することが出来る。
【０００３】
従来のデジタルカメラにおいては、記録媒体の空き容量が少なくなってしまった場合、不要ファイルを消去し空き容量を増加させる必要性が生じる。通常、このように空き容量が少なくなってしまった場合は、記録媒体内のファイルの中から、消去可能なファイルを選別し、選別されたファイルの消去を一斉に行う。この種のファイル消去には、消去したいファイルを１つづつ指定して消去する方法、またはディレクトリファイル単位で指定し、ディレクトリファイル配下のファイルをすべて消去する方法等がある。これに関連する技術を次に開示する。
【０００４】
特許文献１は、画像容量の異なる複数種類の画像を１つの撮影画像ファイルとして作成してメモリカードに記録するデジタル処理回路を有し、デジタル処理回路は、画像消去操作が行なわれたとき、メモリカードに記録されている撮影画像ファイルを構成する複数種類の画像のうち、１つ或いは複数種類の画像を消去する。そして、撮影画像ファイルを記録するために必要な容量がメモリカードに残存していない場合に、画像消去操作に応じて消去された画像と共に撮影画像ファイルを構成していた画像を消去した後、作成した撮影画像ファイルをメモリカードに記録する。画像消去操作を行なった後に、消去された画像と同じ内容の画像の表示や印刷を行なうことが出来るデジタルカメラが提案されている。
【０００５】
特許文献２は、記録媒体に画像履歴管理ファイルを形成すると共に、この記録媒体に記録された撮影画像の消去の際に、その消去対象画像が記録媒体内に占める記録領域情報と、記録領域に対する最終アクセス種別を示す最終アクセス情報とを含むデータを消去画像の管理情報として画像履歴管理ファイルに登録させるとともに、記録領域に対する書き込みが生じた場合には、最終アクセス情報を修正させ、記録媒体から消去された画像の復活を指示し、記録媒体の消去画像の復活要求がある際に、画像履歴管理ファイルにおいて最終アクセス種別が消去である消去画像のみを、復活可能な画像として提示し、記録媒体における復活可能な消去画像を復活処理前に示すことができ、選択した画像を復活できるようにした電子カメラ装置が提案されている。
【０００６】
特許文献３は、外部機器から画像情報を入力し、原稿画像を読み取り、入力された画像情報および読みとられた画像情報を蓄積し、蓄積された画像情報を記録媒体に印刷し、印刷の開始を指示し、蓄積された画像情報を印刷することなく消去できるようにし、間違ったまたは結果的にプリントアウトの必要性が無い画像情報を蓄積した場合プリントアウトなしに消去でき、消去の操作性が高く、無駄なプリントアウト（無駄コピ−）を生じない画像形成装置が提案されている。
【０００７】
特許文献４は、レリーズボタンを押した際、画像記憶の記憶容量不足を検出した場合、有効度順の撮影済みのマルチ画像を、所定の観点から削除すべき画像の候補を順序付けるコマンドキーとともに表示器に表示し、コマンドキーが選択された場合に、マルチ画像の表示順序をそのコマンドキーが指示する所定の観点からの削除すべき画像の候補の順序に変更し、使用者はこのマルチ画像を見て、画像を削除し、撮影を継続できるようにし、一般的に不用と思われる画像を簡単な操作で検索できる撮像装置および画像の削除方法を提案されている。また、手ぶれ、ピンぼけ、露光不足等の不良画像ファイルの検出する手段を有している。
【０００８】
一般にファイルの消去は、記録媒体に対し、積極的にデータのクリアの処理が施されるわけではなく、ファイル管理領域の情報を消去状態にセットすることで実現している。すなわち、消去状態になった記録領域に新たなデータの書き込みを行うことが出来るように管理している。従って、消去処理されたファイルであってもそのファイルの領域に新たなデータが上書きされない限り、実体上のデータは消えることなく存在し続ける。そのため、パーソナルコンピュータのデータ管理ツールを用いたり、カメラメーカに記録媒体を送付する等して消去ファイルを復活させることも場合によっては十分に可能である。
【特許文献１】特開２００６−２１７２５４号公報
【特許文献２】特開２００２−１３５７１１号公報
【特許文献３】特開平１１−４５０３１号公報
【特許文献４】特開２００２−３６９１２５号公報
【発明の開示】
【発明が解決しようとする課題】
【０００９】
しかしながら、上述した従来のファイル消去方法では、多数のファイルを消去する場合、消去したいファイルをすべて消去するのに手間がかかり、消去したいファイルが多くなればなるほど煩わしいといった問題があった。
【００１０】
また、誤消去したファイルを復活させるのに、一々パソコン上で記録媒体に特殊な処理を施したり、あるいはメーカに記録媒体を送付したりするのは、ユーザにとって面倒である。
【００１１】
そこで本発明は、以上のような状況を鑑みてなされたもので、簡単な操作で、不良画像ファイルは消去状態のままにしながら、不良画像以外の画像ファイルを記録媒体に速やかに復帰させることで、操作性を向上させる画像処理装置および画像処理方法を提供することを目的とする。
【課題を解決するための手段】
【００１２】
上記の目的を達成するため、請求項１に記載の発明は、取得した画像データを画像ファイルとして記録媒体に記録する記憶手段と、前記記録媒体に記録されている前記画像ファイルの画像ファイル情報を取得する画像ファイル情報取得手段と、前記記録媒体に記録されている前記画像ファイルが手ぶれ、ピンぼけ、露光不足の少なくとも１つは判断可能な不良画像判定手段と、不良画像ファイルだと判断された画像ファイルの情報を内部メモリ上に記憶する不良画像ファイル情報記録手段と、記録媒体内の前記画像ファイルを消去する消去手段と、所定の条件下で消去操作が行われたとき、前記記録媒体内の画像ファイル管理情報を前記内部メモリ上に複製する画像ファイル管理情報複製手段と、前記記録媒体から消去された前記画像ファイルの復活を行う消去画像ファイル復活手段とを有し、消去画像ファイルの復活の要求がなされた際に、消去された画像ファイルが不良画像ファイルだと判断された画像ファイルである場合には、内部メモリ上に複製された画像ファイル管理情報の不良画像ファイルの画像ファイル情報を消去し、内部メモリ上の画像ファイル管理情報を前記記録媒体内に書き戻す画像処理装置であることを特徴とする。
【００１３】
請求項２に記載の発明は、請求項１に記載の画像処理装置において、再生モードが選択されたとき所望の画像ファイルを再生する再生手段をさらに備え、前記所定の条件は、再生モードに切り替え後、最初のファイル消去操作に応答することを特徴とする。
【００１４】
請求項３に記載の発明は、請求項１または２に記載の画像処理装置において、前記消去手段は、前記ファイル消去操作が行われたとき、特定条件に該当する全てのファイルを記録媒体から消去することを特徴とする。
【００１５】
請求項４に記載の発明は、請求項３に記載の画像処理装置において、前記特定条件は、最初にファイル消去操作が行われたファイルと同じ日付であることを特徴とする。
【００１６】
請求項５に記載の発明は、請求項３に記載の画像処理装置において、前記特定条件は、最初にファイル消去操作が行われたファイルと同じ拡張子であることを特徴とする。
【００１７】
請求項６に記載の発明は、取得した画像データを画像ファイルとして記録媒体に記録する記憶工程と、前記記録媒体に記録されている前記画像ファイルの画像ファイル情報を取得する画像ファイル情報取得工程と、前記記録媒体に記録されている前記画像ファイルが手ぶれ、ピンぼけ、露光不足の少なくとも１つは判断可能な不良画像判定工程と、不良画像ファイルだと判断された画像ファイルの情報を内部メモリ上に記憶する不良画像ファイル情報記録工程と、記録媒体内の前記画像ファイルを消去する消去工程と、所定の条件下で消去操作が行われたとき、前記記録媒体内の画像ファイル管理情報を前記内部メモリ上に複製する画像ファイル管理情報複製工程と、前記記録媒体から消去された前記画像ファイルの復活を行う消去画像ファイル復活工程とを有し、消去画像ファイルの復活の要求がなされた際に、消去された画像ファイルが不良画像ファイルだと判断された画像ファイルである場合には、内部メモリ上に複製された画像ファイル管理情報の不良画像ファイルの画像ファイル情報を消去し、内部メモリ上の画像ファイル管理情報を前記記録媒体内に書き戻す画像処理方法であることを特徴とする。
【００１８】
請求項７に記載の発明は、請求項６に記載の画像処理方法において、再生モードが選択されたとき所望の画像ファイルを再生する再生工程をさらに備え、前記所定の条件は、再生モードに切り替え後、最初のファイル消去操作に応答することを特徴とする。
【００１９】
請求項８に記載の発明は、請求項６または７に記載の画像処理方法において、前記消去工程は、前記ファイル消去操作が行われたとき、特定条件に該当する全てのファイルを記録媒体から消去することを特徴とする。
【００２０】
請求項９に記載の発明は、請求項８に記載の画像処理方法において、前記特定条件は、最初にファイル消去操作が行われたファイルと同じ日付であることを特徴とする。
【００２１】
請求項１０に記載の発明は、請求項８に記載の画像処理方法において、前記特定条件は、最初にファイル消去操作が行われたファイルと同じ拡張子であることを特徴とする。
【発明の効果】
【００２２】
本発明によれば、消去画像ファイルの復活の要求がなされた際に、消去された画像ファイルが不良画像ファイルだと判断された画像ファイルである場合には、内部メモリ上に複製された画像ファイル管理情報の不良画像ファイルの画像ファイル情報を消去し、内部メモリ上の画像ファイル管理情報を前記記録媒体内に書き戻す画像処理装置および画像処理方法を提供することを可能とする。
【発明を実施するための最良の形態】
【００２３】
以下、本発明を実施するための好適な実施の形態について説明する。本実施形態は、これに限定されるものではなく、逸脱しない範囲で適用可能とする。本実施形態では、画像処理装置を一実施形態であるデジタルカメラとして扱う。
【００２４】
本実施形態のデジタルカメラ装置について図１、図２、図３を用いて説明する。図１は、本実施形態のデジタルカメラ装置を示すブロック図である。図２は、本実施形態におけるメモリカード１０９のフォーマットの一例を示す図である。図３は、本実施形態におけるディレクトリエントリ領域２０４に格納されるデータの構成を示す図である。図４は、本実施形態における画像データファイル領域２０５を示す図である。
【００２５】
図１に示すデジタルカメラ装置は、レンズ１０１、オートフォーカスを含むメカ機構１０２、ＣＣＤ１０３、ＣＤＳ回路１０４、Ａ／Ｄ変換器１０５、デジタル信号処理回路１０６、圧縮／伸長回路１０７、ＤＲＡＭ１０８、メモリカード１０９、ＬＣＤ１１０、ドライバ１１１、ＳＧ１１２、ＣＰＵ１１３、操作部１１４、ストロボ１１５、マイク１１６、ＡＭＰ／ＦＩＬＴＥＲ１１７、Ｄ／Ａ変換器１１８、音声データ圧縮／伸長回路１１９、Ａ／Ｄ変換器１２０、ＡＭＰ／ＦＩＬＴＥＲ１２１、ＯＳＤ１２２および電源装置部であるＤＣ／ＤＣコンバータ１２５、電池１２６、ＡＣアダプタ１２７等により構成されている。そして、ＣＰＵ１１３は、ＲＡＭ１２３を有し、ＣＰＵＢＵＳ１２４を介して種々の構成要素と接続されている。
【００２６】
レンズユニットは、レンズ１０１、オートフォーカス（ＡＦ）・絞り・フィルター部を含むメカ機構１０２等からなり、メカ機構１０２のメカニカルシャッターは２つのフィールドの同時露光を行う。ＣＣＤ（電荷結合素子）１０３は、レンズユニットを介して入力した映像を電気信号（アナログ画像データ）に変換する。ＣＤＳ（相関２重サンプリング）回路１０４は、ＣＣＤ１０３から出力される電気信号のノイズを小さくする。また、Ａ／Ｄ変換器１０５は、ＣＤＳ回路１０４を介してＣＣＤ１０３から入力したアナログ画像データをデジタル画像データに変換する。すなわち、ＣＣＤ１０３の出力信号は、ＣＤＳ回路１０４を通じてＡ／Ｄ変換器１０５で最適なサンプリング周波数（例えば、ＮＴＳＣ信号のサブキャリア周波数の整数倍）にてデジタル信号に変換される。
【００２７】
また、デジタル信号処理部１０６は、Ａ／Ｄ変換器１０５から入力した画像データを輝度データと色差データに分けて各種処理、補正、および画像圧縮／伸長のためのデータ処理を施す。画像圧縮／伸長回路１０７は、ＪＰＥＧに準拠しており、画像データを直交変換・ハフマン符号化して圧縮する。また、画像圧縮／伸長回路１０７は、画像データをハフマン復号化・逆直交変換して伸長する。
【００２８】
一方、音声は、マイク１１６等の音声−電気信号変換素子により電気信号に変換されて音声データとなり、ＡＭＰ／ＦＩＬＴＥＲ１１７により増幅され必要帯域にカットオフされた後、Ｄ／Ａ変換器１１８により所定帯域の２倍以上のサンプリング周波数でデジタル音声データに変換される。さらに、このデジタル音声データはデータ圧縮・伸長部１１９により圧縮・符号化処理される。
【００２９】
ＤＲＡＭ１０８は、圧縮処理された画像データを一時的に格納する。圧縮された画像データは画像データファイルとして、圧縮された音声データは音声データファイルとしてメモリカード１０９に記録される。
【００３０】
また、ＬＣＤ１１０には、メモリカード１０９に記録されている画像データに応じた画像が表示される。またＬＣＤ１１０には、設定されているデジタルカメラ装置の状態、例えば、設定されているモード表示やエラー表示等が行われる。
【００３１】
操作部１１４は、機能選択、撮影指示、およびその他の各種設定を外部から行うための操作キーを備えている。操作キーとしては、例えば、メモリカード１０９に格納されている複数枚の画像データを分割表示の指示をする「分割表示指示」キー、分割表示されている画像データの１つをカーソル表示（識別表示）するためのカーソルキーと、分割画面のページ送りおよびページ戻しを指示するための「ページ送り」キーおよび「ページ戻し」キー、設定されているデジタルカメラ装置の状態等の表示のＯＮ／ＯＦＦを指示する「表示ＯＮ／ＯＦＦ」キー等がある。
【００３２】
ＣＰＵ１１３は、操作部１１４からの指示、若しくは図示しないリモコン等の外部動作指示に応じて、図示しないＲＯＭに格納された制御プログラムに従って、デジタルカメラ装置の各部の動作を制御する。例えば、ＣＰＵ１１３は、メモリカード１０９への画像データ、および音声データの記録動作の制御、メモリカード１０９に記録されている画像データ、および音声データの再生動作の制御等を行う。
【００３３】
なお、図１にあって、電源装置部、ＤＣ／ＤＣコンバータ１２５に電池１２６およびＡＣアダプタ１２７が接続される構成となっている。
【００３４】
図２は、上述したメモリカード１０９のフォーマットの一例を示す図である。このフォーマットは、パソコン用のＤＯＳのフォーマットと同一のものとなっている。メモリカード１０９は、図２に示す如く、デバイス種類、アクセス速度、記憶容量等のカード属性情報が格納されるアトリビュート領域２０１と、ブートセレクタ領域２０２と、ＦＡＴ領域２０３と、ディレクトリエントリ領域２０４と、画像データファイルを格納する画像データファイル格納領域２０５と、音声データファイルを格納する音声データファイル格納領域２０６、とから構成されている。
【００３５】
ブートセレクタ領域２０２には、メモリカード１０９からデータを読み書きする場合に必要なパラメータ、すなわち、ＦＡＴ（ｆｉｌｅ  ａｌｌｏｃａｔｉｏｎ  ｔａｂｌｅ）や、ディレクトリエントリ等が記録される。
【００３６】
ＦＡＴ領域２０３には、各ファイルのデータが記録されている状態の情報であるＦＡＴエントリが書き込まれる。なお、データが記録されているメモリ上の位置は、データの書き込み単位の番号となるクラスタ番号で示されている。
【００３７】
ディレクトリエントリ領域２０４には、図３に示す如く、記録したデータのファイル名、ファイル属性、予約領域、作成／更新時刻、作成／更新日付、対応するファイルまたはサブディレクトリエントリの物理的位置（ＦＡＴ開始番号）と該ファイルのサイズについての情報がそれぞれ記録されている。前記ファイル名としては、対応するものがデータファイルであるときには、ファイルの属性情報の１つである拡張子を含むファイル名が記録される。
【００３８】
画像データファイル領域２０５の構成は、図４に示す如くなっており、各画像データファイル（例えば、ＲＩＭＧ０００１．ＪＰＧ、ＲＩＭＧ０００２．ＪＰＧ、ＲＩＭＧ０００３．ＪＰＧ、ＲＩＭＧ０００４．ＪＰＧ、・・・・）が順次固定長のデータで書き込まれている。また、画像データファイルは、図示の如く、画像ヘッダー、主画像データ、および当該画像データに対応するサムネイル画像からなる。画像ヘッダーには、ファイル属性、個別規格名称、規格のバージョン、画像データ本体の関連情報、サムネイル画像の関連情報、および記録モード等が記録される。
【００３９】
次に、デジタルカメラの画像データの記録動作を説明する。まず、レンズ１０１を介して入力される被写体像は、ＣＣＤ１０３で電気信号（アナログ画像データ）に変換された後、ＣＤＳ１０４を経て、Ａ／Ｄ変換器１０５に入力されアナログ画像データがデジタル画像データに変換される。変換されたデジタル画像データは、デジタル信号処理回路１０６で信号処理されて、ＣＰＵバス１２４を介してＤＲＡＭ１０８に格納される。ＤＥＡＭ１０８に格納されたデジタル画像データは、ＣＰＵバス１２４を介して圧縮／伸長回路１０７に入力され、圧縮処理されて、再び、ＤＲＡＭ１０８に格納される。圧縮処理が終了すると、ＣＰＵ１１３は、ＤＲＡＭ１０８に格納されている圧縮処理された画像データを、ＣＰＵバス１２４を介してメモリカード１０９に所定形態で画像データファイルとして記録する。また、この場合、圧縮処理された画像データの画素の一部を有る間隔ごとに間引いて作成したサムネイル画像を同一の画像データファイルとして併せて記録する。
【００４０】
次に、デジタルカメラの画像データの再生動作を説明する。操作部１１４の操作により再生すべきメモリカード１０９の画像データファイルが指定されると、指定された画像データファイルの圧縮された画像データが読み出されて、ＤＲＡＭ１０８に格納される。このＤＲＡＭ１０８に格納された画像データは、ＣＰＵバス１２４を介して圧縮／伸長回路１０７に入力され、伸長処理されて、再び、ＤＲＡＭ１０８に格納される。ＤＲＡＭ１０８に格納され伸長処理された画像データは、ＣＰＵバス１２４を介してデジタル信号処理回路１０６に入力され、ビデオ信号に変換されＬＣＤ１１０に表示される。
【００４１】
次に、デジタルカメラの画像データの消去動作を説明する。操作部１１４の操作により消去すべきメモリカード１０９の画像データファイルが指定されると、指定された画像データファイルの使用する記録領域がファイル管理情報（ＦＡＴ領域）を未使用状態に書き換え（通常、１６進数の“００”とする）、ディレクトリエントリ領域のファイル名を削除する。このファイル名の削除は、実際にファイル名のデータがすべて消去されてしまうわけではなく、そのファイル名の先頭文字を、１６進数の“Ｅ５”のコードに変更することで、該当する画像データファイルが消去された項目であることを示すこととなる。
【００４２】
次に、本実施形態の動作について説明する。図５は、本実施形態のデジタルカメラにおける制御動作を示す第１のフローチャートである。
【００４３】
（第１実施形態）
ユーザにより消去する画像ファイルの選択操作が行われる（ステップＳ５０１）。選択された画像ファイルの消去および消去した画像ファイルの所定の条件をＲＡＭメモリに保持する（ステップＳ５０２）。ここで保持する所定の条件は、消去された画像ファイルの撮影日付であるとする（日付情報以外では、例えば、消去された画像ファイルの拡張子などが考えられる）。
【００４４】
次に、記録媒体内に記録されている画像ファイルを検索し、画像ファイルのファイル情報を取得する（ステップＳ５０３）。具体的には、記録媒体内のファイルディレクトリエントリ領域を先頭から順次後ろに向かって検査し、ＲＡＭメモリ上に検査結果を記憶する。
【００４５】
次に、ステップＳ５０３の処理で検索した画像ファイルのファイル情報が、最初に消去された画像ファイルの所定の条件、本実施形態では撮影日付または画像ファイルの拡張子と一致するか否かの比較を行う（ステップＳ５０３）。
【００４６】
比較が一致した場合（ステップＳ５０４／ＹＥＳ）、所定の条件に一致した画像ファイルを消去する（ステップＳ５０５）。比較が一致しなかった場合（ステップＳ５０４／ＮＯ）、ステップ５０５の処理はスキップし、ステップＳ５０６の処理へと進む。
【００４７】
ステップＳ５０６の処理では、記録媒体内の全てのファイルを検索したか否かの判定を行う（ステップＳ５０６）。全てのファイル検索が完了している場合には（ステップＳ５０６／ＹＥＳ）、全ての処理を終了する。全てのファイル検索が完了していない場合には（ステップＳ５０６／ＮＯ）、ステップ５０３の処理の戻る。
【００４８】
本実施形態によれば、一度のファイル消去操作によって、所定の条件に該当するすべてすべてのファイルを記録媒体から消去することとしたので、煩わしいファイル選別を必要とせず利便性・操作性の向上を図ることが出来る。
【００４９】
次に、本実施形態の動作について図６を用いて説明する。図６は、本実施形態のデジタルカメラにおける制御動作を示す第２のフローチャートである。
【００５０】
（第２実施形態）
ユーザ操作により、ファイル番号が指定され再生要求がなされる（ステップＳ６０１）。指定されたファイル番号に対応する画像ファイルに再生処理を施す（ステップＳ６０２）。この結果、再生画像がＬＣＤなどの表示装置に表示される。表示後、更新操作が行われたか否かが判断される（ステップＳ６０３）。更新操作が行われたと判断された場合（ステップＳ６０３／Ｙｅｓ）、ファイル番号が更新される（ステップＳ６０３）。ファイル番号の更新後は、ステップＳ６０２の処理に戻る。この結果、ＬＣＤ等の表示装置に表示される再生画像が更新される。更新操作が行われていないと判断された場合（ステップＳ６０３／ＮＯ）、消去操作が行われたか否かが判断される（ステップＳ６０５）。
【００５１】
消去操作が行われたと判断された場合（ステップＳ６０５／Ｙｅｓ）、先のファイル消去が再生モードに入ってからの最初のファイル消去処理となるかどうか、フラグなどを用いて判断される（ステップＳ６０６）。消去操作が行われていないと判断された場合（ステップＳ６０５／ＮＯ）、復活操作が行われたか否かが判断される（ステップＳ６１２）。
【００５２】
再生モードに入ってからの最初のファイル消去処理であった場合には（ステップＳ６０６／Ｙｅｓ）、記録媒体内のファイル管理領域（ＦＡＴ領域、およびディレクトリエントリ領域）をＳＤＲＡＭ等の内部メモリ上に退避させる（ステップＳ６０７）。再生モードに入ってからの最初のファイル消去でない場合（ステップＳ６０６／ＮＯ）、およびステップＳ６０７の処理後、消去する画像ファイルが、手ぶれ、ピンぼけ、露光不足等の少なくとも１つ以上の問題がある不良画像ファイルであるか否かの判断を行う（ステップＳ６０８）。
【００５３】
消去対象の画像ファイルが不良画像ファイルであると判断された場合には（ステップＳ６０８／Ｙｅｓ）、内部メモリ上に退避したファイル管理情報上の不良画像ファイルと判断された画像ファイル情報を消去する（ステップＳ６０９）。消去対象の画像ファイルが不良画像ファイルでないと判断された場合（ステップＳ６０８／Ｙｅｓ）、またはステップＳ５０９の処理の後、記録媒体内の画像ファイルを消去する（ステップＳ６１０）。消去後、ファイル番号を更新する（ステップＳ６１１）。更新処理が完了すると、ステップＳ６０２に戻る。
【００５４】
復活操作が行われた場合には（ステップＳ６１２／Ｙｅｓ）、内部メモリ上に退避したファイル管理情報を記録媒体に書き戻す（ステップＳ６１３）。つまり、記録媒体内に形成されたファイル管理領域の情報を、内部メモリ上に退避されたファイル管理情報によって上書きする。復活操作が行われていない場合には（ステップＳ６１２／ＮＯ）、ステップＳ６０３の処理に戻る。
【００５５】
このように、再生モードに入ってから最初の消去操作前の時点でのファイル管理情報は、消去操作後の消去ファイル復活操作によって、内部メモリ上から記録媒体に戻され、記録媒体は、不要な不良画像ファイルを復活させることなく、誤って消去してしまった画像ファイル等を速やかに復帰させることができる。
【００５６】
本実施形態によれば、簡単なファイル復活操作によって、不良画像ファイルは消去状態にしたまま、不良画像ファイル以外の消去画像ファイルの画像ファイル管理情報を内部メモリから記録媒体に書き戻される。このため、煩わしいファイル選別を必要とせず不要と思われる画像ファイルを復活させることなく、誤消去等の画像ファイルを速やかに復帰させることができ、利便性・操作性の向上を図ることが出来る。
【００５７】
また、簡単なファイル復活操作によって、不良画像ファイルは消去状態にしたまま、不良画像ファイル以外の消去画像ファイルの画像ファイル管理情報を内部メモリから記録媒体に書き戻される。このため、煩わしいファイル選別を必要とせず不要と思われる画像ファイルを復活させることなく、誤消去等の画像ファイルを速やかに復帰させることができ、利便性・操作性の向上を図ることが出来る。
【００５８】
さらに、一度のファイル消去操作によって、所定の条件に該当するすべてのファイルを記録媒体から消去することとしたので、煩わしいファイル選別を必要とせず利便性・操作性の向上を図ることが出来る。
【図面の簡単な説明】
【００５９】
【図１】本実施形態におけるデジタルカメラの構成を示す図である。
【図２】本実施形態におけるメモリカード１０９のフォーマットの一例を示す図である。
【図３】本実施形態におけるディレクトリエントリ領域２０４に格納されるデータの構成を示す図である。
【図４】本実施形態における画像データファイル領域２０５を示す図である。
【図５】本実施形態のデジタルカメラにおける制御動作を示す第１のフローチャートである。
【図６】本実施形態のデジタルカメラにおける制御動作を示す第２のフローチャートである。
【符号の説明】
【００６０】
１０１    レンズ
１０２    メカ機構
１０３    ＣＣＤ１０３
１０４    ＣＤＳ回路
１０５    Ａ／Ｄ変換器
１０６    デジタル信号処理回路
１０７    圧縮／伸長回路
１０８    ＤＲＡＭ
１０９    メモリカード
１１０    ＬＣＤ
１１１    ドライバ
１１２    ＳＧ
１１３    ＣＰＵ
１１４    操作部
１１５    ストロボ
１１６    マイク
１１７    ＡＭＰ／ＦＩＬＴＥＲ
１１８    Ｄ／Ａ変換器
１１９    音声データ圧縮／伸長回路
１２０    Ａ／Ｄ変換器
１２１    ＡＭＰ／ＦＩＬＴＥＲ
１２２    ＯＳＤ
１２３    ＲＡＭ
１２４    ＣＰＵＢＵＳ
１２５    ＤＣ／ＤＣコンバータ
１２６    電池
１２７    ＡＣアダプタ
【図１】
2008219425.tif 000003
【図２】
2008219425.tif 000004
【図３】
2008219425.tif 000005
【図４】
2008219425.tif 000006
【図５】
2008219425.tif 000007
【図６】
2008219425.tif 000008